(57)【要約】【課題】見た目が可愛らしく、軽量で且つ通気性に優れ、装着対象動物にかかるストレスを軽減させることができる、花冠形状の動物用患部保護具を提供する【解決手段】本考案は、布袋の中にクッション材と形状維持のためのプラスチック薄板を内蔵した花弁部３が、複数個連なって花冠形状を形成した構造となっており、動物の頸部と接する内周部４には強度と伸縮性の高い布を配置し、動物への装着時に漏斗形状となるように取り外し可能な連結具５を備えたものである。【選択図】図５
0003235515.tif 000002
【実用新案登録請求の範囲】
【請求項１】
布製で、かつクッションを内蔵していることで、軽量で肌触りが良く、柔らかい構造になっており、プラスチック薄板によって形状を維持することで動物が患部に触れることを防止し、花冠の形をしていることで美観に優れることを特徴とした、動物用患部保護具。
【考案の詳細な説明】
【技術分野】
【０００１】本考案は、犬や猫等の動物の頸部に装着して、該動物の口から怪我や手術による傷口、皮膚疾患等の患部を保護するために用いるものである。
【背景技術】
【０００２】犬や猫等の動物が怪我をしたり、手術を受けたり、皮膚疾患を患った場合には、該動物が怪我や手術後の患部の傷口や、皮膚疾患の患部を舐めたり、噛んだりすることで、該患部の傷や症状を悪化させてしまうことがある。【０００３】そのために、上記のような動物の患部を該動物の口から保護することが求められ、図１〜図２にその一例の概略を示す如き保護具が広く一般的に用いられる。【０００４】すなわち、上記従来用いられている保護具は、通常、可撓性を有するプラスチック製の薄板材料により、内径及び外径をそれぞれ所要の寸法としてなるリング形状の周方向の１カ所を所要角度範囲に亘り切り欠いた馬蹄形状のシート部材１ａを製作し、該馬蹄形状のシート部材の周方向の両端部に、互いに着脱自在な連結具２（たとえばスナップボタン等）をそれぞれ取り付けてなる構成としてある。これにより、一端側に小径の開口部を有し、且つ他端側に向けて拡径する漏斗形状（載頭円錐形状）１ｂとさせることができるようにしてある。
【考案の開示】
【考案が解決しようとする課題】
【０００５】ところが、従来の保護具は、プラスチック製の薄板材により成型するが、形状を維持しつつ、患部を保護する機能を持たせるにはプラスチックの板厚がどうしても厚めになってしまい、それにより重量が嵩むという問題があり、このため小型の犬や猫等の動物の頸部に装着すると、該動物の負担が大きくなってストレスが大きくなってしまう。更に、プラスチック製であるため通気性がないことや、動物が保護具に寄りかかって寝ようとした際に表面が硬いことにより、装着した動物のストレスが大きくなるという問題がある。【０００６】また、布等の柔らかい素材や構造でクッション性を持たせたタイプが考案・販売されているが、柔らかいが故に漏斗形状を維持できず引っくり返ってしまい、保護具としての機能を全うできないという問題がある。【０００７】また、プラスチック製、布製ともに機能性を優先すると無機質なデザインになりがちなため見た目が好ましくなく、美観も重視する飼い主にとっては装着を戸惑うという問題がある。【０００８】そこで、本考案は、見た目が可愛らしく、軽量で且つ通気性に優れ、装着対象動物にかかるストレスを軽減させることができる、花冠形状の動物用患部保護具を提供しようとするものである。
【課題を解決するための手段】
【０００９】本考案は、上記課題を解決するために、図３〜図５にその一例の概略を示す如き、花弁形状にした布袋の中にクッション材と形状維持のためのプラスチック薄板を内蔵し、それが花冠形状になるように複数個を配置してあり、動物の頸部と接する内周部には強度と伸縮性が高く肌触りの良い布を配置し、動物への装着時に漏斗形状となるように取り外し可能な連結具を備えてなる構成とする。
【考案の効果】
【００１０】本考案の動物用患部保護具によれば、以下の如き優れた効果を発揮する。【００１１】花冠形状のデザインのためファッション性を兼ね揃えており美観に優れる【００１２】布製であるため肌触りが良く、動物のストレスを軽減する【００１３】動物の顔と接する内側面にクッション性があることで、外部からの衝撃を緩和するほか、動物が寝る際にクッションが枕の役目を果たし、動物のストレスを軽減する【００１４】上記クッションは平坦で無くなだらかな凸形状になっており、動物の顎の形状に追従しており動物が顎を載せやすくなっており、動物のストレスを軽減する【００１５】花弁が全周にわたって同じ形状であるため、本考案の動物用患部保護具が回転しても常に同じ機能を果たすことから付け替えなどの手間が不要であり、動物や飼い主のストレスを軽減する【００１６】動物の頸部に接する内周部には強度が高く伸縮性に優れる布を配置しているので、摩擦で簡単に破れることが無く、動物の動きに追従し、肌触りが良いので動物のストレスを軽減する【００１７】布製であることと、花冠の外周部分が凹部形状となっていることで、通気性に優れており、動物のストレスを軽減する【００１８】布の中に内蔵したプラスチック薄板が、本考案の動物用患部保護具の形状維持と適度なしなやかさを両立させており、患部を保護する機能を持ちながらとても柔らかく扱いやすいため、動物や飼い主のストレスを軽減する【００１９】プラスチック薄板やクッション材を必要最小量にしか使っていないことから、従来の動物用患部保護具に比べて重量が非常に軽くなっており、動物のストレスを軽減する
【考案を実施するための最良の形態】
【００２０】以下、図面に基づき本考案を実施するための最良の形態を説明する。【００２１】本考案の動物用患部保護具を構成する花弁部３の数は４〜１４枚が適当である。少なすぎると１つの花弁が大きくなり扱いづらくなり、多すぎるとクッション性や形状を維持できなくなる。【００２２】花弁部３を構成する布は、綿、ナイロン、ポリエステルなどの一般的な材質を用いることが出来る。布の厚さは制限は無いが、肌触りを考慮すると０．２ｍｍ程度が好ましい。【００２３】花弁部３に内蔵するクッション材は、綿やポリエステルなどの一般的な材質による綿状のものや、ウレタンなどのスポンジ・フォームを用いることが好ましい。クッションは動物の顔と接する花弁部３の内面側のみに配置しても良いし、内面側と外面側の両面に配置しても構わない。また、クッション材はそれぞれの花弁部３の全体に均一に充填されていても良いが、動物の顎の形状にフィットして顔を置きやすくなるように部分的に厚くするなどの処置を行っても良い。【００２４】花弁形状および花冠形状を維持するための芯材として用いるプラスチック薄板は、一般的な合成樹脂を用いるが、しなやかさを考慮すると、ポリエチレン、ポリプロピレン、ポリエステル、ポリ塩化ビニルといった材質が好ましい。薄板の厚さは、作製する花弁部３の大きさによって最適なものが異なるが、０．０５ｍｍ〜１．０ｍｍ程度のものを用いることが好ましい。また、薄板の大きさは、それぞれの花弁部３全体にいきわたるように配置しても良いが、花弁部３の中央部分のみに配置することで、芯材としての機能を持たせつつ軽量にすることが可能になる。【００２５】動物の頸部に接する内周部４には布を縫製する。摩擦する部分であるため強度が必要であり、さらには動物の動きに追従する伸縮性も必要なことから、たとえばスムースニット素材を用いることが好ましい。【００２６】動物に装着する際に必要となる連結具５は、容易に外れず、軽量なものを用いる。例えばスナップボタン、面ファスナ（マジックテープ）などが好ましい。動物の大きさに応じて取り付け位置を決めるが、フラワーカラーは布製であるため目打ち（千枚通し）などで穴を自由に開けることが出来ることから、スナップボタンのような穴が必要な連結具を使用する場合であっても、位置を微妙にずらす作業が容易に可能である。
【図面の簡単な説明】
【００２７】
【図１】〜
【図２】従来一般に用いられている動物用患部保護具の一例を示すもので、図１は概略平面図、図２は動物の頸部に装着した状態を示す概略斜視図である。
【図３】〜
【図５】フラワーカラーの一例を示すもので、図３は概略平面図、図４は組立て概略斜視図、図５は動物の頸部に装着した状態を示す概略斜視図である。
【符号の説明】
【００２８】１  従来の動物用患部保護具
２  従来の動物用患部保護具の連結具
３  本考案の動物用患部保護具の花弁部
４  本考案の動物用患部保護具の内周部
５  本考案の動物用患部保護具の連結具
【図１】
0003235515.tif 000003
【図２】
0003235515.tif 000004
【図３】
0003235515.tif 000005
【図４】
0003235515.tif 000006
【図５】
0003235515.tif 000007